(57)【要約】【課題】  簡単な機構装置だけでより迅速に充電開始に至れるようにする携帯電話機用マルチ充電器を提供する。さらに、より多様な形態の充電端子を提供することにより、より多くの種類の携帯電話機を充電可能にする。【解決手段】  上記目的を達成するための本発明は、携帯電話機のバッテリを載置するトレー；携帯電話機のバッテリの電極端子に接続され、一列に並べられた複数の充電端子群；前記充電端子群を駆動する駆動装置；及び前記充電端子群の充電端子に印加される電源を含み、前記駆動装置は前記充電端子群を携帯電話機のバッテリに対して水平方向に移動させ、前記充電端子群は移動する間、携帯電話機のバッテリの電極端子が配置された面に接触して滑りやすいように配置され、前記充電端子群が電極端子に接触されれば、これを感知して駆動装置の駆動を停止し、充電を開始するように構成された携帯電話機用マルチ充電器を提供する。【選択図】      図３
2005218295.tif 000002
【特許請求の範囲】
【請求項１】
携帯電話機用マルチ充電器であって、
携帯電話機のバッテリを載置するトレーと；
携帯電話機のバッテリの電極端子に接続され、一列に並べられた複数の充電端子群と；
前記充電端子群を駆動する駆動装置；及び
前記充電端子群の充電端子に印加される電源とを含み、
前記駆動装置は前記充電端子群を携帯電話機のバッテリに対して水平方向に移動させ、
前記充電端子群は移動する間、携帯電話機のバッテリの電極端子が配置された面に接触して滑りやすいように配置され、
前記充電端子群が電極端子に接触されれば、これを感知して駆動装置の駆動を停止し、充電を開始することを特徴とする携帯電話機用マルチ充電器。
【請求項２】
前記トレーの一端部に他の充電端子群がさらに配置されることによって、携帯電話機のバッテリの側部に配置された電極端子にも接触可能にしたことを特徴とする請求項１に記載の携帯電話機用マルチ充電器。
【請求項３】
前記トレーの表面に、バッテリ面に形成された凹部と相互結合されうる凸部が形成されており、
前記凸部に充電端子を配置することによって、バッテリ面の凹部に形成された電極端子に接触可能にしたことを特徴とする請求項１または請求項２に記載の携帯電話機用マルチ充電器。
【発明の詳細な説明】
【技術分野】
【０００１】
本発明は携帯電話機用マルチ充電器に関し、より詳しくは、製造会社、機種、デザインにかかわらず、すべての携帯電話機を載置可能にし、このように携帯電話機を載置した状態で充電機能を行うことによって、汎用的に使用することのできる携帯電話機用マルチ充電器に関する。
【背景技術】
【０００２】
一般に、携帯電話機用充電器は、図１に示されるように携帯電話機の購入時に携帯電話機とセット化されたものであり、このような携帯電話機充電器１は内部に携帯電話機のバッテリ（図示なし）を充電するための充電回路（図示なし）が内臓されて外観を形成する充電器本体２と、充電器本体２から一定の長さで延長形成される電源連結線４と、電源連結線４の先端に備えられて家庭や事務室の電源コンセントに電気的に接続させることにより２２０Ｖの交流電源が電源連結線４を通じて充電回路に電源を供給する電源プラグ６と、から構成される。
【０００３】
充電器本体２の内部に内臓された充電回路は、電源プラグ６を通じて供給される２２０Ｖ交流電圧を２０Ｖ直流電圧に１次変換させた後、携帯電話機を充電することができる４．１Ｖまたは４．２Ｖなどに２次変換して充電器本体２に備えられる充電端子を通じて供給する。
【０００４】
しかし、前述したような携帯電話機の購入時にセット化された携帯電話機充電器は該当携帯電話機だけを充電することができ、モデルが違う場合には、それに合った充電器が別に準備されなければならない問題がある。さらに、前述したような従来の携帯電話機充電器は携帯電話機の交換の際にも携帯電話機と共に交換されるため資源の浪費をもたらす問題がある事はもちろん、経済的な側面から見て非常に不合理的である。
【０００５】
従って、製造会社やモデルにかかわらず各種携帯電話機のバッテリをすべて充電することができるマルチ充電器が開発されて使用されており、図２にその構成が示されている。図２によれば、従来のマルチ充電器は携帯電話機のバッテリまたは携帯電話機が載置されるトレー１６、バッテリ１０の端子１２、１３、１４に接続可能に複数個が一列に並べられた充電端子群２２を含み、この充電端子群２２は（図示なし）によって水平２６及び垂直２８方向に移動するように構成される。
【０００６】
駆動装置（図示なし）は、トレー１６に載置された携帯電話機または携帯電話機のバッテリ１０に対し、充電端子群２２を水平方向２６に所定ステップ移動させた後、下方に移動させて充電端子群２２とバッテリ端子１２、１３、１４とが接触されるか否かを調査し、もしこれらが接触されたと判断されればバッテリを充電し、接触されていなければ、充電端子群２２を上方に移動させた後に再び所定ステップに移動させた後、下方移動して接触を試みる動作を繰り返して実施する。
【発明の開示】
【発明が解決しようとする課題】
【０００７】
しかし、このような接触方式はステップモータの駆動を通じて数回繰り返して接触を試みなければならないという点で充電開始まで必要となる時間が長くなり、ステップモータの制御のための精密な機構装置が要求された。
従って、本発明の目的は、簡単な機構装置だけでより迅速に充電開始に至れるようにする携帯電話機用マルチ充電器を提供することにある。さらに、より多様な形態の充電端子を提供することにより、より多くの種類の携帯電話機を充電可能にする。
【課題を解決するための手段】
【０００８】
上記目的を達成するための本発明は、携帯電話機のバッテリを載置するトレーと；携帯電話機のバッテリの電極端子に接続され、一列に並べられた複数の充電端子群と；前記充電端子群を駆動する駆動装置；及び前記充電端子群の充電端子に印加される電源とを含み、前記駆動装置は前記充電端子群を携帯電話機のバッテリに対して水平方向に移動させ、前記充電端子群は移動する間、携帯電話機のバッテリの電極端子が配置された面に接触して滑りやすいように配置され、前記充電端子群が電極端子に接触されれば、これを感知して駆動装置の駆動を停止し、充電を開始するように構成された携帯電話機用マルチ充電器を提供する。
【０００９】
さらに、トレーの一端部に他の充電端子群がさらに配置されることによって、携帯電話機のバッテリの側面に配置された電極端子にも接触可能にし、トレーの表面にバッテリ面に形成された凹部と相互結合されうる凸部が形成されており、凸部に充電端子を配置することによって、バッテリ面の凹部に形成された電極端子に接触可能に構成された携帯電話機用マルチ充電器を提供する。
【発明の効果】
【００１０】
本発明は、上述したような構成によって充電開始まで必要となる時間を短縮し、充電器の機構的構成を単純化する効果がある。さらに、より多様な充電端子を備えることによって、より多様なモデルの携帯電話機に対して充電を可能にする効果がある。
【発明を実施するための最良の形態】
【００１１】
以下では、図３ないし図５を参照して本発明の構成及び動作原理を詳細に説明する。
まず、本発明は携帯電話機のバッテリ３０を載置するトレー３６、トレーの上方に位置して携帯電話機のバッテリの電極端子３２、３３、３４に接触するように構成された充電端子群４２、充電端子群４２を駆動する駆動装置（図示なし）及び充電端子群４２に印加される電源（図示なし）を含む。
また、本発明はトレーの一端部に配置された充電端子群４４をさらに含むことが好ましく、トレーの表面に充電端子が形成された凸部４５をさらに含むことがより好ましい。
【００１２】
上記の構成からなる携帯電話機用マルチ充電器の動作を説明すれば、トレー上に電極端子が上に来るようにして携帯電話機のバッテリを載置すれば、駆動装置の駆動によって充電端子群４２が携帯電話機のバッテリの電極端子が配置された面を滑ってバッテリの電極端子を探す。
充電端子群４２の端子の内、一部がバッテリ電極端子に接触されれば、これを感知して駆動装置の駆動を停止するようにし、電源から充電を開始する。この時、充電端子群４２はバッテリ面を接触しながら滑り易いように構成または配置されなければならない。
【００１３】
一方、図４に示されるように、電極端子がバッテリの側面に形成されている場合にはトレーの一端部に別に配置された充電端子群４４によって充電可能に構成されている。
さらに、図５に示されるように、電極端子がバッテリの凹部３２、３３、３４に形成されている場合にはトレーの表面に形成された凸部の充電端子４５によって充電可能に構成されている。即ち、図５に示されているバッテリの凹部がトレー３６の凸部に結合するようにバッテリを載置して充電できるように構成されている。
【００１４】
以上説明したように、本発明は充電端子群４２がバッテリの一面に接触された状態で滑りながら電極端子を探して充電できるようにすることによって、充電開始時までに必要となる時間を大幅に短縮させるだけでなく、充電器の充電端子とバッテリの電極端子とを接続させるための機械的構成を単純化することができる。
さらに、バッテリの側面に形成された電極端子にも充電可能な別途の充電端子群４４とバッテリの凹部に形成された電極端子にも充電可能な充電端子４５をさらに追加することによって、より多様なモデルのバッテリを充電できるように発明された。
【００１５】
以上は本発明を例を挙げて説明したものであり、本発明は上述した例に限定されず、本発明の権利は添付された特許請求の範囲に記載したものに従って決定される。さらに、同業界に従事する者によって本発明の多様な変形例が実施されることができるが、これらはすべて本発明の権利範囲に属するものであることを明確にする。
【図面の簡単な説明】
【００１６】
【図１】従来の携帯電話機のバッテリ充電器の概略図である。
【図２】従来の携帯電話機用マルチ充電器の概略図である。
【図３】本発明の一実施例による携帯電話機用マルチ充電器の概略図である。
【図４】本発明の一実施例による携帯電話機用マルチ充電器のまた別の充電端子群の概略図である。
【図５】本発明の一実施例による携帯電話機用マルチ充電器のまた別の充電端子群の概略図である。
【符号の説明】
【００１７】
３０・・・バッテリー、３６・・・トレー、３２、３３、３４・・・バッテリの電極端子、４２、４４・・・充電端子群、４５・・・充電端子
【図１】
2005218295.tif 000003
【図２】
2005218295.tif 000004
【図３】
2005218295.tif 000005
【図４】
2005218295.tif 000006
【図５】
2005218295.tif 000007